(57)【要約】【課題】  関係データの再入力を必要とせず、トリガ生成手段を時刻に応じて異なる負荷の制御に用いることができる設定内容書き換え装置及び伝送制御装置を提供する。【解決手段】  それぞれ信号線Ｌｓを介して伝送制御装置１に接続された制御側端末器２と負荷側端末器３とを有する遠隔制御システムに用いられる。制御側端末器２には複数個のスイッチなどのトリガ生成手段が接続され、負荷側端末器３には複数個の照明器具などの負荷が接続されており、トリガ生成手段と負荷との対応関係を示す関係データが伝送制御装置１に設定されている。設定内容書き換え装置４は、所定の時刻となったときに、所定の関係データを自動的に信号線Ｌｓを介して伝送制御装置１に送信して設定させる。関係データの再入力を必要とせず、制御側端末器３に接続されたトリガ生成手段を時刻に応じて異なる負荷の制御に用いることができる。【選択図】図１
2007142575.tif 000002
【特許請求の範囲】
【請求項１】
トリガを生成するトリガ生成手段を備えトリガ生成手段毎に固有のアドレスが設定される制御側端末器と、負荷が接続され負荷毎に固有のアドレスが設定される負荷側端末器と、制御側端末器及び負荷側端末器が分岐接続された信号線を介して制御側端末器及び負荷側端末器との間で時分割多重伝送方式により伝送信号を授受し、トリガが生成されたときに制御側端末器から受け取る監視データに基いて負荷を制御する制御データを生成するとともに、トリガを生成したトリガ生成手段に対し予め設定された関係データによって関係付けられた負荷を接続した負荷側端末器に対して制御データを伝送する伝送制御装置とを備える遠隔制御システムに用いられ、
伝送制御装置に関係データを送信する送信部と、
それぞれトリガ生成手段と負荷との対応関係が異なる複数種類の関係データが格納された関係データ記憶部と、
時刻を計時するタイマ部と、
関係データ記憶部に格納された関係データと時刻との対応関係が格納された動作記憶部と、
タイマ部によって計時された時刻が動作記憶部に格納された時刻のいずれかとなったときに送信部を制御し、動作記憶部において該時刻に対応した関係データを伝送制御装置に送信して設定させる制御部とを備えることを特徴とする設定内容書き換え装置。
【請求項２】
伝送制御装置にいずれの関係データが設定されているかを表示するための負荷である表示負荷が接続された負荷側端末器である表示負荷側端末器を備える遠隔制御システムに用いられ、
信号線を介して伝送制御装置との間で時分割多重伝送方式により伝送信号を授受する送受信部を備え、
制御部は、関係データを伝送制御装置に設定させたときに、設定させた関係データに応じて表示負荷を制御する監視データを生成するとともに送受信部を制御して該監視データを伝送制御装置へ伝送させることを特徴とする請求項１記載の設定内容書き換え装置。
【請求項３】
関係データが入力されるデータ入力端子を伝送制御装置が有する遠隔制御システムに用いられ、
送信部は、データ入力端子に接触導通するデータ出力端子を有し、データ出力端子を介して関係データを伝送制御装置に送信することを特徴とする請求項１又は２記載の設定内容書き換え装置。
【請求項４】
トリガを生成するトリガ生成手段を備えトリガ生成手段毎に固有のアドレスが設定される制御側端末器と、負荷が接続され負荷毎に固有のアドレスが設定される負荷側端末器とを備える遠隔制御システムに用いられる伝送制御装置であって、
制御側端末器及び負荷側端末器が分岐接続された信号線を介して制御側端末器及び負荷側端末器との間で時分割多重伝送方式により伝送信号を授受する送受信部と、
制御側端末器に接続されたトリガ生成手段と負荷側端末器に接続された負荷との対応関係を示す関係データが、それぞれトリガ生成手段と負荷との対応関係が異なる複数種類格納された関係データ記憶部と、
関係データ記憶部に格納された関係データのうちいずれか１種類が有効関係データとして設定され、トリガ生成手段によりトリガが生成されたときに、制御側端末器から信号線と送受信部とを介して監視データを受け取り、受け取った監視データに基いて負荷を制御する制御データを生成するとともに、トリガを生成したトリガ生成手段に対して有効関係データによって関係付けられた負荷を接続した負荷側端末器へ、送受信部を制御して制御データを伝送させる制御部と、
時刻を計時するタイマ部と、
関係データ記憶部に格納された関係データと時刻との対応関係が格納された動作記憶部とを備え、
制御部は、タイマ部によって計時された時刻が動作記憶部に格納された時刻のいずれかとなったときに、動作記憶部において該時刻に対応する関係データを有効関係データとすることを特徴とする伝送制御装置。
【発明の詳細な説明】
【技術分野】
【０００１】
本発明は、遠隔制御システムに用いられる設定内容書き換え装置及び伝送制御装置に関するものである。
【背景技術】
【０００２】
従来から、時分割多重伝送信号を用いた遠隔制御システムが提供されている。この種の遠隔制御システムの概略構成を図１１に示す。
【０００３】
この遠隔制御システムは、伝送制御装置１と、それぞれ２線式の信号線Ｌｓを介して伝送制御装置１に分岐接続された複数台（１台のみ図示）の制御側端末器２と複数台（１台のみ図示）の負荷側端末器３とを備える。
【０００４】
制御側端末器２には、負荷を制御するためのトリガを発生する例えばスイッチや人感センサなどのトリガ生成手段が少なくとも１個ずつ接続されている。図１１では、トリガ生成手段として４個のスイッチ２１を備える制御側端末器２を示している。
【０００５】
負荷側端末器３には、それぞれ照明器具や換気扇などの負荷（図示せず）が少なくとも１個ずつ接続されている。トリガ生成手段と負荷とには、それぞれ個別のアドレスが設定されている。システム全体で使用可能なアドレスは、例えば０〜６３の番号が付された６４個のチャンネルに、それぞれ０〜３の番号が付された４回路ずつの計２５６個であって、チャンネル番号と回路番号とから例えば６３−３のように表される。
【０００６】
伝送制御装置１は信号線Ｌｓに対して、図１２（ａ）に示すフォーマットの伝送信号Ｖｓを送出する。すなわち、この伝送信号Ｖｓは信号送出開始を示す同期信号ＳＹ、伝送信号Ｖｓのモードを示すモードデータＭＤ、制御側端末器２や負荷側端末器３を格別に呼び出すためのアドレスデータＡＤ、負荷を制御する制御データＣＤ、伝送誤りを検出するためのチェックサムデータＣＳ、制御側端末器２や負荷側端末器３からの返信信号（監視データ）を受信するタイムスロットである信号返信機関ＷＴよりなる双極性（±２４Ｖ）の時分割多重信号であり、図１２（ｂ）のようなパルス幅変調によってデータが伝送されるようになっている。各制御側端末器２及び各負荷側端末器３では、信号線Ｌｓを介して受信した伝送信号Ｖｓにより伝送されたアドレスデータＡＤが予め設定されているアドレスに一致すると、伝送信号Ｖｓから制御データＣＤを取り込むとともに、伝送信号Ｖｓの信号返信期間ＷＴに監視データを電流モード信号（信号線Ｌｓを適当な低インピーダンスを介して短絡することにより送出される信号）として返信する。
【０００７】
伝送制御装置１から所望の制御側端末器２や負荷側端末器３にデータを送出する場合には、モードデータＭＤを制御モードとし、制御側端末器２または負荷側端末器３のアドレスをアドレスデータＡＤとする伝送信号Ｖｓを送出し、この伝送信号Ｖｓを信号線Ｌｓに送出すれば、アドレスデータＡＤに一致する制御側端末器２または負荷側端末器３が制御データＣＤを受け取り、信号返信期間ＷＴに監視データを返信する。伝送制御装置１では送出した制御データＣＤと信号返信期間ＷＴに受信した監視データとの関係によって制御データＣＤが所望の制御側端末器２または負荷側端末器３に伝送されたことを確認する。負荷側端末器３は受け取った制御データＣＤに従って負荷Ｌを制御するための負荷制御信号を出力し、制御側端末器２では受け取った制御データＣＤに従って負荷Ｌの動作確認表示を行なうための表示信号を出力する。
【０００８】
一方、伝送制御装置１は通常時にはモードデータＭＤをダミーモードとした伝送信号Ｖｓを一定時間間隔で送出している（常時ポーリングという）。この場合、ある負荷側端末器３に対してアクセスして、負荷状態を示す監視データの返信を要求し、これに対してアクセスされた負荷側端末器３からは接続している負荷状態を監視データとして伝送制御装置１に返信する。この返信を受け取った伝送制御装置１はこの負荷側端末器３に対応関係がある制御側端末器２のアドレスをアクセスして対応する負荷側端末器３に接続されている負荷４の状態を表示させるための制御データＣＤを伝送制御装置から伝送する。
【０００９】
このようにして常時ポーリングでは負荷側端末器３とこの負荷側端末器３に対応関係を持つ制御側端末器２のアドレスをアクセスする動作をサイクリックに繰り返している。
【００１０】
そして常時ポーリング下で、伝送制御装置１に対して何らかの情報を伝送しようとするときには、ダミーモードの伝送信号Ｖｓの同期信号ＳＹに同期させて図１２（ｃ）のような割込信号Ｖｉを発生させる。このとき、制御側端末器２は割込フラグを設定して伝送制御装置１との以後の情報授受に備える。伝送制御装置１では割込信号Ｖｉを受信すると、モードデータＭＤを割込ポーリングモードとしかつアドレスデータＡＤの上位の半数のビット（アドレスデータＡＤを８ビットとすれば上位４ビット）を順次増加させながら伝送信号を送出し、割込信号Ｖｉを発生した制御側端末器２では、割込ポーリングモードの伝送信号のアドレスデータＡＤの上位４ビットが制御側端末器２に設定されているアドレスの上位４ビットに一致するときに、信号返信期間ＷＴにアドレスの下位４ビットを伝送制御装置１に返信する。このように、伝送制御装置１は割込信号Ｖｉを発生した制御側端末器２を１６個ずつまとめて探すので、比較的短い時間で制御側端末器２を発見することができる。
【００１１】
伝送制御装置１が割込信号Ｖｉを発生した制御側端末器２のアドレスを獲得すると、モードデータＭＤを監視モードとし、獲得したアドレスデータＡＤを持つ伝送信号Ｖｓを信号線Ｌｓに送出するのであって、この伝送信号Ｖｓに対して制御側端末器２は伝送しようとする情報を信号返信期間ＷＴに返信するのである。最後に、伝送制御装置１は割込信号Ｖｉを発生した制御側端末器２に対して割込リセットを指示する信号を送出し、制御側端末器２の割込フラグを解除する。以上のようにして、制御側端末器２から伝送制御装置１への情報伝送は、伝送制御装置１から制御側端末器２への４回の信号伝送（ダミーモード、割込ポーリングモード、監視モード、割込リセット）によって完了する。伝送制御装置１が所望の負荷側端末器３の動作状態を知ろうとするときには、モードデータＭＤを監視モードとした伝送信号を送出するだけでよい。
【００１２】
そして、トリガ生成手段によりトリガが生成されると、制御側端末器２は、生成されたトリガに応じた監視データを伝送制御装置１に返信し、伝送制御装置１は、この監視データに基づいて生成した制御データＣＤを含む伝送信号Ｖｓを負荷側端末器３に伝送し、負荷側端末器３は、伝送された伝送信号Ｖｓ中の制御データＣＤに応じて負荷を制御する。また、負荷を制御した負荷側端末器３は、監視データを伝送制御装置１に返信し、伝送制御装置１は、返信された監視データを基に動作状態表示のための制御データＣＤを含む伝送信号Ｖｓを生成して制御側端末器２に伝送する。この伝送信号Ｖｓによって制御側端末器２では負荷の動作状態を表示する表示灯（発光ダイオードなど）を点灯・消灯する。
【００１３】
ここで、トリガ生成手段による負荷の制御には、１つのスイッチに１回路の負荷を対応付けた個別制御と、１つのスイッチ操作で複数回路の負荷を一斉に同じ状態に動作させるグループ制御と、１つのスイッチ操作で複数回路の負荷を夫々の負荷毎に設定している状態に動作させるパターン制御とがある。グループ制御やパターン制御においてトリガ生成手段のアドレスと負荷のアドレスとの対応関係を示す関係データは、関係データを入力する入力手段と、入力手段から入力された関係データを伝送制御装置１に信号線Ｌｓを介して転送させる転送手段とを備えたパターン・グループ設定器（図示せず）を用いて伝送制御装置１に設定される。
【特許文献１】特開２００３−３７８７９号公報
【発明の開示】
【発明が解決しようとする課題】
【００１４】
ところで、例えば昼間は多数のスイッチによって負荷を少数ずつ制御するようにし、夜間には少数のスイッチによって多数の負荷を一括して制御するようにするといったように、時間帯によって関係データを変更したい場合、従来は、関係データを変更する度に、パターン・グループ設定器を用いて関係データを入力し直す必要があり、非常に手間がかかっていた。
【００１５】
本発明は上記事由に鑑みて為されたものであり、その目的は、関係データの再入力を必要とせず、トリガ生成手段を時刻に応じて異なる負荷の制御に用いることができる設定内容書き換え装置及び伝送制御装置を提供することにある。
【課題を解決するための手段】
【００１６】
請求項１の発明は、トリガを生成するトリガ生成手段を備えトリガ生成手段毎に固有のアドレスが設定される制御側端末器と、負荷が接続され負荷毎に固有のアドレスが設定される負荷側端末器と、制御側端末器及び負荷側端末器が分岐接続された信号線を介して制御側端末器及び負荷側端末器との間で時分割多重伝送方式により伝送信号を授受し、トリガが生成されたときに制御側端末器から受け取る監視データに基いて負荷を制御する制御データを生成するとともに、トリガを生成したトリガ生成手段に対し予め設定された関係データによって関係付けられた負荷を接続した負荷側端末器に対して制御データを伝送する伝送制御装置とを備える遠隔制御システムに用いられ、伝送制御装置に関係データを送信する送信部と、それぞれトリガ生成手段と負荷との対応関係が異なる複数種類の関係データが格納された関係データ記憶部と、時刻を計時するタイマ部と、関係データ記憶部に格納された関係データと時刻との対応関係が格納された動作記憶部と、タイマ部によって計時された時刻が動作記憶部に格納された時刻のいずれかとなったときに送信部を制御し、動作記憶部において該時刻に対応した関係データを伝送制御装置に送信して設定させる制御部とを備えることを特徴とする。
【００１７】
上記構成によれば、関係データの再入力を必要とせず、トリガ生成手段を時刻に応じて異なる負荷の制御に用いることができる。
【００１８】
請求項２の発明は、請求項１の発明において、伝送制御装置にいずれの関係データが設定されているかを表示するための負荷である表示負荷が接続された負荷側端末器である表示負荷側端末器を備える遠隔制御システムに用いられ、信号線を介して伝送制御装置との間で時分割多重伝送方式により伝送信号を授受する送受信部を備え、制御部は、関係データを伝送制御装置に設定させたときに、設定させた関係データに応じて表示負荷を制御する監視データを生成するとともに送受信部を制御して該監視データを伝送制御装置へ伝送させることを特徴とする。
【００１９】
上記構成によれば、関係データの設定に応じて表示負荷が制御されるから、使用者は、表示負荷を見ることにより、いずれの関係データが伝送制御装置に設定されているかを知ることができる。
【００２０】
請求項３の発明は、請求項１又は請求項２の発明において、関係データが入力されるデータ入力端子を伝送制御装置が有する遠隔制御システムに用いられ、送信部は、データ入力端子に接触導通するデータ出力端子を有し、データ出力端子を介して関係データを伝送制御装置に送信することを特徴とする。
【００２１】
上記構成によれば、伝送制御装置と送信部とにそれぞれ接続された電線を関係データの送受信に用いる場合に比べ、送信部と伝送制御装置との接続が容易となる。
【００２２】
請求項４の発明は、トリガを生成するトリガ生成手段を備えトリガ生成手段毎に固有のアドレスが設定される制御側端末器と、負荷が接続され負荷毎に固有のアドレスが設定される負荷側端末器とを備える遠隔制御システムに用いられる伝送制御装置であって、制御側端末器及び負荷側端末器が分岐接続された信号線を介して制御側端末器及び負荷側端末器との間で時分割多重伝送方式により伝送信号を授受する送受信部と、制御側端末器に接続されたトリガ生成手段と負荷側端末器に接続された負荷との対応関係を示す関係データが、それぞれトリガ生成手段と負荷との対応関係が異なる複数種類格納された関係データ記憶部と、関係データ記憶部に格納された関係データのうちいずれか１種類が有効関係データとして設定され、トリガ生成手段によりトリガが生成されたときに、制御側端末器から信号線と送受信部とを介して監視データを受け取り、受け取った監視データに基いて負荷を制御する制御データを生成するとともに、トリガを生成したトリガ生成手段に対して有効関係データによって関係付けられた負荷を接続した負荷側端末器へ、送受信部を制御して制御データを伝送させる制御部と、時刻を計時するタイマ部と、関係データ記憶部に格納された関係データと時刻との対応関係が格納された動作記憶部とを備え、制御部は、タイマ部によって計時された時刻が動作記憶部に格納された時刻のいずれかとなったときに、動作記憶部において該時刻に対応する関係データを有効関係データとすることを特徴とする。
【００２３】
上記構成によれば、関係データの再入力を必要とせず、トリガ生成手段を時刻に応じて異なる負荷の制御に用いることができる。
【発明の効果】
【００２４】
本発明は、伝送制御装置に関係データを送信する送信部と、それぞれトリガ生成手段と負荷との対応関係が異なる複数種類の関係データが格納された関係データ記憶部と、時刻を計時するタイマ部と、関係データ記憶部に格納された関係データと時刻との対応関係が格納された動作記憶部と、タイマ部によって計時された時刻が動作記憶部に格納された時刻のいずれかとなったときに送信部を制御し、動作記憶部において該時刻に対応した関係データを伝送制御装置に送信して設定させる制御部とを備えるので、関係データの再入力を必要とせず、トリガ生成手段を時刻に応じて異なる負荷の制御に用いることができる。
【発明を実施するための最良の形態】
【００２５】
以下、本発明を実施するための最良の形態について、図面を参照しながら説明する。
【００２６】
（実施形態１）
本実施形態は、図１に示すように、背景技術として説明した遠隔制御システムにおける伝送制御装置１に対して信号線Ｌｓを介して接続され、予め設定された時刻に自動的に伝送制御装置１に設定された関係データを書き換える設定内容書き換え装置４である。
【００２７】
詳しく説明すると、本実施形態は、図２に示すように、時刻を計時するタイマ部４１と、それぞれトリガ生成手段と負荷との対応関係が異なる複数種類の関係データが格納された関係データ記憶部４２と、伝送制御装置１に設定された関係データを書き換える時刻と書き換えられる関係データとの対応関係が格納された動作記憶部４３と、信号線Ｌｓを介して伝送制御装置１との間で伝送信号を送受信する送受信部４４と、タイマ部４１によって計時された時刻が動作記憶部４３に格納された時刻のいずれかとなったときに送信部４４を制御し、動作記憶部４３において該時刻に対応した関係データを伝送制御装置１に送信して設定させる制御部４５とを備える。
【００２８】
また、本実施形態は、液晶パネル４６ａ（図３（ａ）参照）及びその駆動回路からなる表示部４６と、使用者によって操作される操作部４７と、交流電源に接続され上記各部に電源を供給する電源部４９とを備える。
【００２９】
上記各部は、図３（ａ）〜（ｃ）に示すように全体として略直方体形状のハウジング４０に収納されている。以下、上下左右は図３（ａ）を基準とし、図３（ｂ）の左右方向を前後方向として説明する。ハウジング４０の前面の左右両端部には、それぞれ前方と左右方向の外側とに開放された凹部４０ａが複数個（図３（ａ）〜（ｃ）では６個）ずつ設けられている。左側の凹部４０ａのうち下端の２個には、それぞれねじ端子からなり電源部４９に電気的に接続された電源端子４９ａが収納されている。電源部４９に入力される電源は、例えば商用電源から、電力を安定化する電源ユニットＰＵと電力線Ｌｐと電源端子４９ａとを介して供給されている。また、右側の凹部４０ａのうち下端の２個には、それぞれねじ端子からなり送受信部４４に電気的に接続された入出力端子４４ａが収納されている。さらに、ハウジング４０の前面には、液晶パネル４６ａを露出させてある。
【００３０】
操作部４７は、それぞれ液晶パネル４６ａの下側に保持され使用者によってハウジング４０の前側から押操作される押釦スイッチからなるモード釦４７ａ，増釦４７ｂ，減釦４７ｃ，設定釦４７ｄ，取消釦４７ｅ，戻る釦４７ｆを有する。ここで、動作記憶部４３には、伝送制御装置１の関係データの設定内容を書き換える時刻と、書き換えの対象となるトリガ生成手段のアドレスと、書き換え後に該トリガ生成手段に対応付けられる少なくとも１個の負荷のアドレスとが格納されている。使用者は、操作部４７の押釦４７ａ〜４７ｆを操作することにより、動作記憶部４３に格納された時刻やアドレスを設定することができる。また、関係データ記憶部４２への関係データの入力は、伝送制御装置１からの読み込みによってなされ、この読み込みも操作部４７への操作によって実効される。
【００３１】
ここで、本実施形態は、従来例において説明したパターン制御に用いられるトリガ生成手段であるパターンスイッチや、グループ制御に用いられるトリガ生成手段であるグループスイッチに関する関係データを設定するものである。また、本実施形態による書き換えの対象となる関係データは、トリガ生成手段に一対一に対応するＰＧアドレスに、それぞれ１個乃至複数個の負荷のアドレスが格納されてなる。つまり、ＰＧアドレスに対応するトリガ生成手段に対し、該ＰＧアドレスにアドレスを格納された負荷が対応付けられている。また、ＰＧアドレスに格納された負荷のアドレスの変更はＰＧアドレス毎に行われる。ＰＧアドレスとしては、それぞれパターンスイッチに一対一に対応するＰ１〜Ｐ１２７の名称が付された１２７個のアドレスと、それぞれグループスイッチに一対一に対応するＧ１〜Ｇ７２の名称が付された７２個のアドレスとが確保されている。関係データ記憶部４２には、各ＰＧアドレスに対して２個ずつの書換用アドレスが確保されている。各書換用アドレスには例えばＰＧアドレスのＰ１に対応するものにはＰ１−１，Ｐ１−２、ＰＧアドレスのＧ７２に対応するものにはＧ７２−１，Ｇ７２−２といったように、対応するＰＧアドレスに１又は２を追加した名称が付されている。各書換用アドレスにも、ＰＧアドレスと同様に、それぞれ複数個の負荷のアドレスを格納可能となっている。
【００３２】
操作部４７を用いた動作内容の設定及び読み込みの手順を、図４のフローチャートを参照しながら説明する。
【００３３】
まず、モード釦４７ａを押操作することにより、動作モードを、書き換え動作を行う通常モードから、動作内容の設定若しくは読み込みを行う設定モードに切り換える（Ｓ１）。次に、書き換えや読み込みの対象とするＰＧアドレスを、パターン・グループの別とＰＧアドレスの番号とを順に入力することにより選択する（Ｓ２）。ＰＧアドレスの選択は、増釦４７ｂ、減釦４７ｃ、並びに設定釦４７ｄにより行われる。例えば、ＰＧアドレスの番号を選択するに当たっては、増釦４７ｂ又は減釦４７ｃを押操作する度に、表示されているＰＧアドレスの番号がサイクリックに切り換わり、所望のＰＧアドレスの番号が表示されているときに設定釦４７ｄを押操作することで、表示されているＰＧアドレスの番号が選択される。以下、選択は同様に増釦４７ｂ、減釦４７ｃ、並びに設定釦４７ｄにより行われる。次に、書き換えの動作内容の設定を行うか、関係データの読み込みを行うかを選択する（Ｓ３）。書き換えの動作内容の設定を行う場合、ＰＧアドレスに入力すべき負荷のアドレスが格納された書換用アドレスを選択する（Ｓ４）。次に、選択された書換用アドレスに負荷のアドレスが格納されているか否かが制御部４５により判定され（Ｓ５）、負荷のアドレスが格納されていなければステップＳ４に戻る。ステップＳ５において、選択された書換用アドレスに負荷のアドレスが格納されていれば、書き換えを行う時刻を設定する（Ｓ６）。次に、書き換えを、特定の日付に行うか、毎週行うのかを選択する（Ｓ７）。特定の日付に行う場合、書き換えを行う日付を選択して（Ｓ８）、設定は完了する（Ｓ９）。また、ステップＳ７において、書き換えを毎週行う場合、書き換えを行う曜日を選択して（Ｓ１１）、設定は完了する（Ｓ１２）。いずれの場合にも、設定の完了後は、再度モード釦４７ａを押操作することにより、動作モードを通常モードに戻す（Ｓ１０）。
【００３４】
ところで、本実施形態が用いられる遠隔制御システムは、伝送制御装置１にいずれの関係データが設定されているかを表示するための負荷である表示負荷を含む。各表示負荷は、それぞれ負荷側端末器である表示負荷側端末器３１によって制御される。図示している表示負荷側端末器３１には、表示負荷としてそれぞれ例えば発光ダイオードを光源とする２個の表示灯３１ａ，３１ｂが上下に並べて設けられている。
【００３５】
そして、上記書き換え動作の設定の完了後、動作モードを通常モードに戻す前には、設定された書き換え動作に対応付けられる表示負荷を示す表示アドレスを入力することができる。この表示アドレスは、伝送制御装置１において表示負荷に対応付けられたトリガ生成手段のアドレスであって、入力された表示アドレスは、書き換え動作の他の設定内容と同様に動作記憶部４３に格納される。
【００３６】
制御部４５は、書き換え動作を行ったときに送受信部４４を制御し、行った書き換え動作に対応付けられた表示負荷を制御する監視データを生成するとともに送受信部４４を制御して該監視データを伝送制御装置１へ伝送させる。具体的には、接続されたトリガ生成手段がトリガを生成したときの従来の制御側端末器２と同様の動作を行う。この際、トリガ生成手段のアドレスとしては、行った書き換え動作に対応付けられた表示アドレスを用いる。
【００３７】
例えば、図１の使用形態において、ＰＧアドレスのＰ１に書換用アドレスのＰ１−１の内容を設定する書き換え動作に上側の表示灯３１ａを対応させ、ＰＧアドレスのＰ１に書換用アドレスのＰ１−２の内容を設定する書き換え動作に下側の表示灯３１ｂを対応させた場合、制御部４５は、ＰＧアドレスのＰ１の内容が書換用アドレスのＰ１−１の内容に書き換えられたときには上側の表示灯３１ａを点灯させるように監視データを生成し、その後ＰＧアドレスのＰ１の内容が書換用アドレスのＰ１−２の内容に書き換えられたときには上側の表示灯３１ａを消灯させるとともに下側の表示灯３１ｂを点灯させるように監視データを生成する。すなわち、使用者は、表示灯３１ａ，３１ｂなどの表示負荷を見ることにより、ＰＧアドレスのＰ１に対応するパターンスイッチがどのような負荷に対応付けられているかを知ることができる。ここで、表示負荷は、対応するスイッチ（上記の表示灯３１ａ，３１ｂの場合はＰＧアドレスがＰ１であるパターンスイッチ）の近くに設置されることが望ましい。また、各表示灯３１ａ，３１ｂには、その表示灯３１ａ，３１ｂが点灯しているときに上記スイッチによって制御される負荷、すなわち、対応する書換用アドレスにアドレスが格納された負荷の場所や種類などを示す表示を付すことが望ましい。
【００３８】
一方、ステップＳ３において関係データの読み込みが選択された場合、既に選択されたＰＧアドレスに格納された負荷のアドレスを、いずれの書換用アドレスに格納するかを選択する（Ｓ１３）。次に、選択された書換用アドレスに負荷のアドレスが格納されているかどうかが制御部４５により判定され（Ｓ１４）、負荷のアドレスが格納されていれば上書きの確認が行われる（Ｓ１５）。ステップＳ１５において上書きを行わないことが選択された場合、ステップＳ１３に戻って再度書換用アドレスを選択する。ステップＳ１４において負荷のアドレスが格納されていなかった場合、又は、ステップＳ１５において上書きを行うことが選択された場合には、読み込みが実効される（Ｓ１７，Ｓ１８）。すなわち、伝送制御装置１において選択されたＰＧアドレスに格納された全ての負荷のアドレスが読み取られ、選択された書換用アドレスに格納される。読み込み完了後は、再度モード釦４７ａを押操作することにより、動作モードを通常モードに戻す（Ｓ１０）。
【００３９】
次に、上記読み込み動作の具体例を以下に説明する。まず、制御部４５は、送受信部４４を制御し、ダミーモードの伝送信号Ｖｓの同期信号ＳＹに同期させて割込信号Ｖｉを発生させる。このとき、制御部４５は割込フラグを設定して伝送制御装置１との以後の情報授受に備える。伝送制御装置１では割込信号Ｖｉを受信すると、モードデータＭＤを割込ポーリングモードとしかつアドレスデータＡＤの上位の半数のビット（アドレスデータＡＤを８ビットとすれば上位４ビット）を順次増加させながら伝送信号を送出する。ここで、設定内容書き換え装置４にはアドレスが設定されており、制御部４５は、送受信部４４に受信された割込ポーリングモードの伝送信号のアドレスデータＡＤの上位４ビットが自身に設定されているアドレスの上位４ビットに一致するときに、信号返信期間ＷＴにアドレスの下位４ビットを伝送制御装置１に返信する。
【００４０】
伝送制御装置１が割込信号Ｖｉを発生した設定内容書き換え装置４のアドレスを獲得すると、モードデータＭＤを監視モードとし、獲得したアドレスデータＡＤを持つ伝送信号Ｖｓを信号線Ｌｓに送出する。この伝送信号Ｖｓが送受信部４４に受信されると、制御部４５は、対象となるＰＧアドレスを示す関係データ送信要求信号を信号返信期間ＷＴに返信する。伝送制御装置１は、関係データ送信要求信号を受信すると、関係データ送信要求信号に示されたＰＧアドレスの内容（負荷のアドレス）を含む伝送信号Ｖｓを設定内容書き換え装置４へ送出する。送出される伝送信号Ｖｓは、例えばモードデータＭＤを制御モードとし、制御データＣＤとしてＰＧアドレスの内容を含むものである。設定内容書き換え装置４では、上記伝送信号Ｖｓが送受信部４４に受信されると、制御部４５は、受信されたＰＧアドレスの内容すなわち負荷のアドレスを関係データ記憶部４２の選択された書換用アドレスに格納するとともに、送受信部４４を制御して受信が成功したことを示す所定の応答信号を信号返信期間ＷＴに伝送制御装置１に送出させる。伝送制御装置１は、応答信号を受信すると、設定内容書き換え装置４に対し、要求されたＰＧアドレスの内容の送信が完了していない場合にはＰＧアドレスの内容の続きを含む伝送信号Ｖｓを送信し、要求されたＰＧアドレスの内容の送信が完了した場合には割込リセットを指示する信号を送信する。設定内容書き換え装置４では、割込リセットを指示する信号が送受信部４４に受信されると、制御部４５は割込フラグを解除し、ここにおいて読み込み動作が完了する。
【００４１】
なお、制御部４５が関係データを伝送制御装置１に送信して設定させる書き換え動作の際に、設定内容書き換え装置４や伝送制御装置１で行われる処理については、既成のパターン・グループ設定器によって伝送制御装置１に関係データが設定される際にパターン・グループ設定器や伝送制御装置１で行われる処理と共通であるから、詳細な説明は省略する。
【００４２】
上記構成によれば、伝送制御装置１への関係データの再入力を必要とせず、例えばＰＧアドレスがＰ１であるパターンスイッチを午前７時から午後７時までと午後７時から午前７時までとで異なる負荷に対応させるといったように、トリガ生成手段を時刻に応じて異なる負荷の制御に用いることができる。
【００４３】
（実施形態２）
本実施形態の基本構成は実施形態１と共通であるので、共通する部分については同じ符号を付して説明を省略する。
【００４４】
本実施形態は、図５（ｂ）に示すように、１側面（図５（ｃ）（ｄ）における下面）に被接続凹部１ａが設けられ、関係データが入力されるデータ入力端子としての被接続端子１ｂが被接続凹部１ａの内面に設けられた伝送制御装置１に対し、図５（ｄ）に示すように接続されるものであって、図５（ａ），（ｃ）に示すように、被接続凹部１ａに嵌合する扁平な形状であってハウジング４０の上方へ突出する接続部４４ｂを有する。また、送受信部４４は、図６に示すように、信号線Ｌｓが接続される入出力端子４４ａに代えて、接続部４４ｂの表裏両面にそれぞれ保持されて接続部４４が被接続凹部１ａに嵌合したときに被接続端子１ｂに接触導通する接続端子４４ｃを有する。すなわち、本実施形態において、伝送制御装置１と送受信部４４との間での信号の送受信は、信号線Ｌｓではなく接続端子４４ｃ及び被接続端子１ｂを介してなされる。
【００４５】
また、本実施形態は、図７に示すように、操作部４７の押釦４７ａ〜４７ｆが設けられた例えばメンブレンスイッチ４７ｇや液晶パネル４６ｇが実装されたプリント配線板Ｐを有する。ハウジング４０は、前面が開口してプリント配線板Ｐが収納されるボディ４０１と、ボディ４０１に結合してボディ４０１とともにハウジング４０を構成するカバー４０２とからなる。カバー４０２には、左右両端部に凹部４０ａが設けられている他、液晶パネル４６ａを前方へ露出させる窓孔４０ｂと、押釦４７ａ〜４７ｆを前方へ露出させる操作孔４０ｃとが前後に貫設されている。ここで、接続部４４ｂは平板形状であってハウジング４０の内面により上下にスライド可能に保持されていて、前面にはスライドハンドル４４ｄが突設されている。スライドハンドル４４ｄは、プリント配線板Ｐの上端に設けられた切り欠きＰ１と、カバー４０２に前後に貫設された貫通穴４０ｄとを通じてハウジング４０の前方へ突出している。そして、スライドハンドル４４ｄをハウジング４０に対してスライドさせると接続部４４の突出寸法が変化するようになっており、スライドハンドル４４ｄを下方へスライドさせれば接続部４４ｂはハウジング４０内に収納されて接続端子４４ｃが保護され、スライドハンドル４４ｄを上方へスライドさせれば接続部４４ｂはハウジング４０の上方へ突出して伝送制御装置１への接続が可能となる。
【００４６】
上記構成によれば、実施形態１に比べて伝送制御装置１への接続が容易となる。また、伝送制御装置１への接続状態が信号線Ｌｓに依存しないから、実施形態１に比べて書き換え動作がより確実に行われる。
【００４７】
（実施形態３）
本実施形態は、図８〜図１０に示すように、実施形態１や実施形態２の設定内容書き換え装置４が一体化された伝送制御装置１に関するものである。すなわち、本実施形態の伝送制御装置１は、信号線Ｌｓを介して制御側端末器２及び負荷側端末３との間で時分割多重伝送方式により伝送信号を授受する送受信部１１と、揮発性メモリからなり制御に用いられる有効関係データが格納される設定内容記憶部１２と、トリガ生成手段によりトリガが生成されたときに、制御側端末器２から信号線Ｌｓと送受信部１１とを介して監視データを受け取り、受け取った監視データに基いて負荷を制御する制御データを生成するとともに、トリガを生成したトリガ生成手段に対して設定内容記憶部１２に格納された有効関係データによって関係付けられた負荷を接続した負荷側端末器３へ、送受信部１１を制御して制御データを伝送させる制御部１３と、上記各部を収納した直方体形状のハウジング１０とを備える。
【００４８】
さらに、実施形態１や実施形態２の設定内容書換装置４と同様に、時刻を計時するタイマ部４１と、それぞれトリガ生成手段と負荷との対応関係が異なる複数種類の関係データが格納された関係データ記憶部４２と、設定内容記憶部１２に格納された有効関係データを書き換える時刻と関係データ記憶部４２に格納された関係データであって前記時刻に新たに有効関係データとされる関係データとの対応関係が格納された動作記憶部４３とを備える。
【００４９】
具体的に説明すると、設定内容記憶部１２には、ＰＧアドレスとして、それぞれパターンスイッチに一対一に対応するＰ１〜Ｐ１２７の名称が付された１２７個のアドレスと、それぞれグループスイッチに一対一に対応するＧ１〜Ｇ７２の名称が付された７２個のアドレスとが確保されており、各ＰＧアドレスにはそれぞれ、有効関係データとして、対応するパターンスイッチ又はグループスイッチに対応付けられる負荷のアドレスを複数個ずつ格納可能となっている。また、関係データ記憶部４２には、各ＰＧアドレスに対して２個ずつの書換用アドレスが確保され、各書換用アドレスにはＰＧアドレスと同様に負荷のアドレスを複数個ずつ格納可能となっている。動作記憶部４３には、書き換え動作を行うべき時刻と、書き換えの対象となるＰＧアドレスと、前記時刻に前記ＰＧアドレスに格納されるべき内容（負荷のアドレス）が格納された書換用アドレスと、書き換え動作を行ったときに制御すべき表示負荷のアドレスとの組が格納されている。制御部１３は、タイマ部４１によって計時された時刻が動作記憶部４３に格納された時刻のいずれかとなったときに、設定内容記憶部１２の該時刻に対応したＰＧアドレスの内容を、関係データ記憶部４２の該時刻に対応した書換用アドレスの内容へと書き換える。また、制御部１３は、行った書き換え動作に対応付けられたアドレスを有する表示灯３１ａ，３１ｂなどの表示負荷を制御する制御データを生成するとともに、送受信部１１を制御して該制御データを表示負荷側端末器３１へ伝送させる。
【００５０】
さらに、本実施形態は、信号線Ｌｓ間の短絡を検知する短絡検知部１４を備える。短絡検知部１４は、ハウジング１０の前面に露出する発光ダイオードＬＤを有し、信号線Ｌｓ間の短絡が検知されたときに発光ダイオードＬＤを点灯させる。
【００５１】
また、ハウジング１０の前面に露出する液晶パネル４６ａ及びその駆動回路からなる表示部４６と、実施形態１と同様にハウジング１０の前面に露出する押釦４７ａ〜４７ｆを有し使用者によって操作される操作部４７と、交流電源に接続されて上記各部に電源を供給する電源部１５とを備える。送受信部１１に電気的に接続され信号線Ｌｓが接続される入出力端子１１ａ、及び、電源部１５に電気的に接続され交流電源に接続される電源端子１５ａは、それぞれねじ端子からなり、ハウジング１０の前面の左右両端にそれぞれ設けられた凹部１０ａに収納されている。
【００５２】
本実施形態において、伝送制御装置１としての本来の動作は従来の伝送制御装置１と共通であり、関係データを書き換える動作や、動作記憶部４３に格納された動作内容が設定されるときの動作など、設定内容書き換え装置４としての動作は、伝送制御装置１と設定内容書き換え装置４との間の信号の送受信が不要となる点、並びに、表示負荷の制御のために監視データを生成する代わりに制御データを生成する点以外は、実施形態１と共通であるため、詳細な説明は省略する。
【００５３】
上記構成によれば、実施形態１と同様の効果に加え、実施形態１や実施形態２のように設定内容書き換え装置４を別途に配設する場合に比べて施工性が向上するという効果が得られる。
【図面の簡単な説明】
【００５４】
【図１】本発明の実施形態１の使用形態を示す説明図である。
【図２】同上の構成を示すブロック図である。
【図３】同上を示す図であり、（ａ）は正面図、（ｂ）は右側面図、（ｃ）は下面図である。
【図４】同上の動作を示す説明図である。
【図５】本発明の実施形態２と伝送制御装置とを示す図であり、（ａ）は実施形態２を示す平面図であり、（ｂ）は伝送制御装置を示す下面図であり、（ｃ）は実施形態２と伝送制御装置とを分離した状態を示す正面図であり、（ｄ）は実施形態２と伝送制御装置とを接続した状態を示す正面図である。
【図６】本発明の実施形態２の構成を示すブロック図である。
【図７】同上を示す分解斜視図である。
【図８】本発明の実施形態３の使用形態を示す説明図である。
【図９】同上の構成を示すブロック図である。
【図１０】同上を示す図であり、（ａ）は正面図、（ｂ）は右側面図、（ｃ）は下面図である。
【図１１】従来例を示す説明図である。
【図１２】伝送信号の一例を示す説明図であり、（ａ）はデータ構造を示し、（ｂ）は波形の一例を示し、（ｃ）は割り込み信号の波形の一例を示す。
【符号の説明】
【００５５】
１  伝送制御装置
２  制御側端末器
３  負荷側端末器
４  設定内容書き換え装置
１ｂ  被接続端子
１１  送受信部
１２  設定内容記憶部
１３  制御部
３１  表示負荷側端末器
３１ａ，３１ｂ  表示負荷
４１  タイマ部
４２  関係データ記憶部
４３  動作記憶部
４４  送受信部
４４ｃ  接続端子
４５  制御部
Ｌｓ  信号線
【図１】
2007142575.tif 000003
【図２】
2007142575.tif 000004
【図３】
2007142575.tif 000005
【図４】
2007142575.tif 000006
【図５】
2007142575.tif 000007
【図６】
2007142575.tif 000008
【図７】
2007142575.tif 000009
【図８】
2007142575.tif 000010
【図９】
2007142575.tif 000011
【図１０】
2007142575.tif 000012
【図１１】
2007142575.tif 000013
【図１２】
2007142575.tif 000014